【事件の表示】
　特許第６０７４０２５号発明「スキンケア組成物において使用するための超吸収性ポリマー及びシリコーンエラストマー」の特許異議申立事件について、次のとおり決定する。
【結　論】
　特許第６０７４０２５号の請求項１ないし９に係る特許を維持する。
【理　由】
第１　手続の経緯
　特許第６０７４０２５号の請求項１ないし９に係る特許についての出願は、２０１３年（平成２５年）３月１９日（パリ条約による優先権主張外国庁受理　２０１２年３月１９日　米国）を国際出願日として特許出願され、平成２９年１月１３日にその特許権の設定登録がされ、その後、その特許に対し、平成２９年７月３１日に特許異議申立人　荒井 健之　により特許異議の申立てがされたものである。
第２　本件発明
　特許第６０７４０２５号の請求項１ないし９の特許に係る発明（以下それぞれ「本件発明１」ないし「本件発明９」といい、本件発明１ないし９を総称して「本件発明」という。）は、それぞれ、その特許請求の範囲の請求項１ないし９に記載された事項により特定されるとおりのものであって、そのうちの本件発明１は以下のとおりである。
（本件発明１）
「【請求項１】
　ａ．ポリアクリル酸ナトリウムによってグラフトされているデンプンからなる、０．０１重量％〜１０重量％の超吸収性ポリマーであって、非膨潤状態において、１００μｍ以下の数平均粒径を示し、前記超吸収性ポリマー１グラム当たり２０ｇから２０００ｇの水を吸収する水吸収能を有する超吸収性ポリマーと、
　ｂ．０．１重量％〜２０重量％のシリコーンエラストマーと、
　ｃ．２０％〜９８％の水とを含む増粘水性組成物。」
第３　申立理由の概要
　特許異議申立人は、主たる証拠として下記の甲第１号証、従たる証拠として下記の甲第２号証ないし甲第８号証を提出し、（１）本件発明１ないし５、及び７は、甲第１号証ないし甲第４号証に記載された発明に基づいて当業者が容易に発明をすることができたものであり、（２）本件発明６は、甲第１号証ないし甲第４号証に記載された発明及び甲第５号証ないし甲第７号証に記載された周知技術に基づいて当業者が容易に発明をすることができたものであり、（３）本件発明８及び９は、甲第１号証ないし甲第４号証に記載された発明及び甲第８号証に示される技術常識に基づいて当業者が容易に発明をすることができたものであるから、本件発明１ないし９は特許法第２９条第２項の規定により特許を受けることができないものであって、本件発明１ないし９に係る特許は同法同条の規定に違反してされたものであるから同法第１１３条第２号に該当し取り消すべきものである旨主張している。
特許異議申立人が提出した甲第１号証ないし甲第８号証
甲第１号証：特開２０１１−２５６１５４号公報（以下「甲１」という。）
甲第２号証：特開２０００−３２７５２３号公報（以下「甲２」という。）
甲第３号証：特開２００２−３２２０１５号公報（以下「甲３」という。）
甲第４号証：特開２００２−３３３８号公報（以下「甲４」という。）
甲第５号証：特表２０１０−５３５７７８号公報
甲第６号証：特表２００２−５４０１３５号公報
甲第７号証：特開２００５−３１４７０４号公報
甲第８号証：「化粧品用シリコーン」カタログ，信越化学工業株式会社，２０１５年
第４　各証拠の記載事項
１　甲１の記載事項
（１）甲１には、以下の記載がある（下線は当審で付加した。以下同様。）。
（甲１−１）「【技術分野】
【０００１】
本発明は、アクリル酸Ｎａグラフトデンプンを含有することで、ムース状を呈し、ふんわりとした独特の軽い使用感、清涼感に優れた化粧料に関する。さらに、表面処理粉体を使用することで、粉体の分散性向上、撥水、撥油性付与によるロングラスティング効果、肌への密着性など、様々な優れた特徴を得る事ができる。」
（甲１−２）「【発明が解決しようとする課題】
【０００４】
　しかしながら従来の気泡含有化粧料は、疎水化無水ケイ酸を含有するため、使用感の点で満足のいくものではなかったり、Ｏ／Ｗ型乳化化粧料に関しては、外相が水相のため、ロングラスティング効果という点では満足いくものでなかったり、また油性ホイップト化粧料に関しては、高融点ワックスを用いて気泡安定性を保つため、使用感の点で、満足のいくものではなかった。また、アシル化アミノ酸塩とＬ−リジンもしくはＬ−グルタミンとの縮合物にて表面処理された粉体を含有する油中水型または水中油型ホイップ状化粧料に関しては、表面処理粉体を一定量以上含有する必要があり、スキンケアのような、粉体含有量の少ない化粧料を調整することは困難であった。
【課題を解決するための手段】
【０００５】
　そこで、本発明人は鋭意検討した結果、アクリル酸Ｎａグラフトデンプンを含有することで、ムース状を呈し、ふんわりとした独特の軽い使用感、清涼感に優れた化粧料を得る事ができ、さらに、表面処理粉体を使用することで、粉体の分散性向上、撥水、撥油性付与によるロングラスティング効果、肌への密着性など、様々な優れた特徴を得る事ができる事を見出し、本発明を完成するに至った。
【０００６】
　すなわち、本発明は、
アクリル酸Ｎａグラフトデンプンを含有することで、ムース状を呈し、
化粧料
【発明の効果】
【０００７】
　以上説明するように、アクリル酸Ｎａグラフトデンプンを含有することで、ムース状を呈し、ふんわりとした独特の軽い使用感、清涼感に優れた化粧料を得る事ができ、さらに、表面処理粉体を使用することで、粉体の分散性向上、撥水、撥油性付与によるロングラスティング効果、肌への密着性など、様々な優れた特徴を得る事ができることは明らかである。」
（甲１−３）「【発明を実施するための最良の形態】
【０００８】
　以下、上記本発明を詳細に説明する。
　本発明の化粧料で用いる
アクリル酸Ｎａグラフトデンプンは、水溶性高分子のゲル化剤であり、市販品として、ＭＡＫＩＭＯＵＳＳＥ１２、ＭＡＫＩＭＯＵＳＳＥ２５［大東化成工業株式会社製社製］を用いる事ができる。
【０００９】
　本発明の化粧料では上記アクリル酸Ｎａグラフトデンプンを化粧料の総量に対して、０．１〜５０質量％の範囲で配合することが可能である。」
（甲１−４）「【００１０】
本発明の化粧料で用いる
粉体とは、従来公知のものが使用でき、
有機粉体としては、
シリコーンエラストマー粉体
【００１１】
（中略）
【００１２】
　本発明の化粧料では上記粉体を化粧料の総量に対して、０．１〜５０質量％の範囲て配合することが可能である。」
（甲１−５）「【実施例】
【００１７】
〔実施例１〜２、比較例１〜２〕
表１の処方と製造方法に従って
Ｏ／Ｗムース状ファンデーション
【００１８】
【表１】
【００１９】
製造方法
　成分Ａ、Ｃを８０℃に加温し、均一に混合した成分Ｂを成分Ａに添加し、よく混合した。成分ＡとＢの混合物を成分Ｃに攪拌しながら添加し、よく混合した。徐冷して製品を得た。
【００２０】
　表１の結果より、本発明の実施例１、２はムース状を呈し、軽い使用感、清涼感に優れ、また、ロングラスティング効果、肌への密着性に優れていた。特に、実施例２では、撥水撥油性表面処理顔料を使用していることで、特にロングラスティング効果に優れていた。これに対して比較例３はムース状を呈しているものの、未処理顔料を用いているため、ロングラスティング効果、密着性という点で、劣っていた。比較例４は、ムース状を呈さず、軽い使用感の項目が実施例に比べて、かなり低くなった。実施例１、２のＯ／Ｗムース状ファンデーションは、ふんわりとした独特の軽い使用感、清涼感、ロングラスティング効果、肌への密着性の全てにおいて優れていた。」
（甲１−６）「【００２９】
〔実施例５〕
　表４の処方と製造方法に従って
水性ムース状アイシャドー
【００３０】
【表４】
【００３１】
製造方法
　成分Ａを均一に混合し、成分Ｂに攪拌しながら添加してよく混合し、成分Ｃを添加して、よく混合する。得られたムース状混合物を容器に充填して製品を得た。
【００３２】
　この水性ムース状アイシャドーはムース状を呈し、ふんわりとした軽い独特の使用感、清涼感、ロングラスティング効果、肌への密着性の全てにおいて優れていた。」
（甲１−７）「【００３３】
〔実施例６〕
　表５の処方と製造方法に従って
水性ムース状ブラッシャー
【００３４】
【表５】
【００３５】
製造方法
　成分Ａを均一に混合し、成分Ｂに攪拌しながら添加してよく混合し、成分Ｃを添加して、よく混合する。得られたムース状混合物を容器に充填して製品を得た。
【００３６】
　この水性ムース状ブラッシャーはムース状を呈し、ふんわりとした軽い独特の使用感、清涼感、ロングラスティング効果、肌への密着性の全てにおいて優れていた。」
（２）甲１に記載された発明
　（甲１−１）ないし（甲１−７）の記載から、甲１には、以下の甲１発明５（特に実施例５の記載から）、甲１発明６（特に実施例６の記載から）、甲１発明１（特に実施例１の記載から）及び甲１発明２（特に実施例２の記載から）が記載されているものと認められる。
（甲１発明５）
「　以下の配合成分からなる水性ムース状アイシャドー。
配合成分　　　　　　　　　　　　　　　　　　　　　　配合量（質量％）
成分Ａ
　オクチルシリル化処理タルク　　　　　　　　　　　　　　４．０
　オクチルシリル化処理雲母チタン粉体　　　　　　　　　　４．０
　オクチルシリル化処理ガラスフレーク　　　　　　　　　　４．０
　球状セルロース末（注１）　　　　　　　　　　　　　　　３．０
成分Ｂ
　グリセリン　　　　　　　　　　　　　　　　　　　　　　５．０
　アクリル酸Ｎａグラフトデンプン（注２）　　　　　　　　１．０
　精製水　　　　　　　　　　　　　　　　　　　　　　　　残量
　防腐剤　　　　　　　　　　　　　　　　　　　　　　　　適量
成分Ｃ
　アクリレーツコポリマー（注３）　　　　　　　　　　　　５．０
注１：ＣＥＬＬＵＬＯＢＥＡＤＳ　Ｄ−１０（大東化成工業株式会社製）
注２：ＭＡＫＩＭＯＵＳＳＥ　２５（大東化成工業株式会社製）
注３：ＤＡＩＴＯＳＯＬ　４０００ＳＪＴ（大東化成工業株式会社製）」
（甲１発明６）
「　以下の配合成分からなる水性ムース状ブラッシャー。
配合成分　　　　　　　　　　　　　　　　　　　　　　配合量（質量％）
成分Ａ
　フッ素・オクチルシリル化複合処理タルク　　　　　　　１０．０
　フッ素・オクチルシリル化複合処理赤色２０２号　　　　　０．５
　フッ素・オクチルシリル化複合処理酸化鉄　　　　　　　　１．０
　フッ素・オクチルシリル化複合処理酸化チタン　　　　　　１．０
　フッ素・オクチルシリル化複合処理雲母チタン粉体　　　　４．０
　球状セルロース末（注１）　　　　　　　　　　　　　　　３．０
成分Ｂ
　グリセリン　　　　　　　　　　　　　　　　　　　　　　５．０
　アクリル酸Ｎａグラフトデンプン（注２）　　　　　　　　１．０
　精製水　　　　　　　　　　　　　　　　　　　　　　　　残量
　防腐剤　　　　　　　　　　　　　　　　　　　　　　　　適量
成分Ｃ
　スチレンアクリレーツコポリマー（注３）　　　　　　　　５．０
注１：ＣＥＬＬＵＬＯＢＥＡＤＳ　Ｄ−１０（大東化成工業株式会社製）
注２：ＭＡＫＩＭＯＵＳＳＥ　２５（大東化成工業株式会社製）
注３：ＤＡＩＴＯＳＯＬ　５０００ＳＴＹ（大東化成工業株式会社製）」
（甲１発明１）
「　以下の配合成分からなるＯ／Ｗムース状ファンデーション。
配合成分　　　　　　　　　　　　　　　　　　　　　　配合量（質量％）
成分Ａ
　ステアリン酸　　　　　　　　　　　　　　　　　　　　　２．５
　ステアリン酸グリセリル（ＳＥ）　　　　　　　　　　　　１．８
　セチルアルコール　　　　　　　　　　　　　　　　　　　０．５
　ミネラルオイル　　　　　　　　　　　　　　　　　　　　９．９
成分Ｂ
　アミノ酸処理酸化鉄（注１）　　　　　　　　　　　　　　１．５
　アミノ酸処理酸化チタン（注２）　　　　　　　　　　　　８．５
　球状セルロース末（注３）　　　　　　　　　　　　　　　３．０
成分Ｃ
　精製水　　　　　　　　　　　　　　　　　　　　　　　　残部
　グリセリン　　　　　　　　　　　　　　　　　　　　　　９．０
　トリエタノールアミン　　　　　　　　　　　　　　　　　１．２
　アクリル酸Ｎａグラフトデンプン（注４）　　　　　　　　０．５
　防腐剤　　　　　　　　　　　　　　　　　　　　　　　　適量
注１：ＡＳＩ処理酸化鉄（大東化成工業株式会社製）
注２：ＡＳＩ処理酸化チタン（大東化成工業株式会社製）
注３：ＣＥＬＬＵＬＯＢＥＡＤＳ　Ｄ−１０（大東化成工業株式会社製）
注４：ＭＡＫＩＭＯＵＳＳＥ　２５（大東化成工業株式会社製）」
（甲１発明２）
「　以下の配合成分からなるＯ／Ｗムース状ファンデーション。
配合成分　　　　　　　　　　　　　　　　　　　　　　配合量（質量％）
成分Ａ
　ステアリン酸　　　　　　　　　　　　　　　　　　　　　２．５
　ステアリン酸グリセリル（ＳＥ）　　　　　　　　　　　　１．８
　セチルアルコール　　　　　　　　　　　　　　　　　　　０．５
　ミネラルオイル　　　　　　　　　　　　　　　　　　　　９．９
成分Ｂ
　フッ素・アクリルシリコーン複合処理酸化鉄（注１）　　　１．５
　フッ素・アクリルシリコーン複合処理酸化チタン（注２）　８．５
　球状セルロース末（注３）　　　　　　　　　　　　　　　３．０
成分Ｃ
　精製水　　　　　　　　　　　　　　　　　　　　　　　　残部
　グリセリン　　　　　　　　　　　　　　　　　　　　　　９．０
　トリエタノールアミン　　　　　　　　　　　　　　　　　１．２
　アクリル酸Ｎａグラフトデンプン（注４）　　　　　　　　０．５
　防腐剤　　　　　　　　　　　　　　　　　　　　　　　　適量
注１：ＦＳＡ処理酸化鉄（大東化成工業株式会社製）
注２：ＦＳＡ処理酸化チタン（大東化成工業株式会社製）
注３：ＣＥＬＬＵＬＯＢＥＡＤＳ　Ｄ−１０（大東化成工業株式会社製）
注４：ＭＡＫＩＭＯＵＳＳＥ　２５（大東化成工業株式会社製）」
２　甲２の記載事項
　甲２には、以下の記載がある。
（甲２−１）「【０００１】
【発明の属する技術分野】本発明は、
化粧料
（甲２−２）「【０００４】
【発明が解決しようとする課題】本発明は、この様な状況下為されたものであり、多硫酸化多糖類の保水作用を更に高める手段を提供することを課題とする。
【０００５】
【課題の解決手段】この様な状況に鑑み、本発明者らは
多硫酸化多糖類の保水作用を更に高める
三次元構造を有するシリコーン類とともに
含有させる
（甲２−３）「【０００７】２）本発明の皮膚外用剤の必須成分である三次元構造を有するシリコーン
本発明の皮膚外用剤は三次元構造を有するシリコーンを必須成分として含有することを特徴とする。ここで三次元構造を有するシリコーンとは、珪素原子の内、１個の珪素原子が３個乃至は４個の酸素との結合子を有した部分を少なくとも全珪素原子数の１０％以上含有する、立体的な結合構造を有するシリコーン類のことを意味し、言い換えれば、通常のシリコーン類と無水珪酸との中間的な性質を有する素材であり、具体的には、トーレ株式会社製のトレフィル・シリーズのような架橋型メチルポリシロキサン、東芝シリコーン株式会社製のトスパール・シリーズの様なメチルシロキサン網状重合体或いは高度に三次元構造が形成されたシリコーンゴムに代表される
シリコーンエラストマー
３　甲３の記載事項
　甲３には、以下の記載がある。
（甲３−１）「【０００１】
【発明の属する技術分野】本発明は、水素ガス発生が抑制され製剤の経日安定性に優れ、撥水性に富み、ラスティング効果に優れ、感触にも優れていることを特徴とする化粧料に関する。
【０００２】
【従来の技術および発明が解決しようとする課題】反応性シリコーンオイルであるメチルハイドロジェンポリシロキサンにて
被覆処理した微粒子粉体を化粧料に配合する
（甲３−２）「【０００４】
【課題を解決するための手段】本発明人らはこれらの問題に鑑み、その対策方法を鋭意検討した。その結果、
鎖長が短く、かつ非反応性のジメチルシロキサン単位を有した、特定の構造を有するメチルハイドロジェンポリシロキサンを用いて表面処理
（甲３−３）「【００３７】
本発明の化粧料では、シリコーンエラストマーを配合している
シリコーンエラストマーは製剤の感触を調整する効果に優れている。
４　甲４の記載事項
　甲４には以下の記載がある。
（甲４−１）「【０００１】
【発明の属する技術分野】本発明は、
有機粉体
無水珪酸とを含有する水中油型化粧料
【０００２】
【従来の技術】従来、水中油型化粧料において、顔面の好ましくないツヤを抑えてマット感を演出するためには、微細な無水珪酸等を配合し、皮脂や余分な油を吸収させる技術や、無水珪酸や酸化アルミニウム等の球状粉体を配合し、可視光線を多方向に散乱させる技術等が用いられていた。
【０００３】
【発明が解決しようとする課題】しかしながら、微細な無水珪酸を水中油型化粧料に配合すると、安定化剤として配合されている水溶性高分子との相互作用により、経時的な粘度の増加や塗布時に肌上で粉体がよれたりする場合があった。また、無水珪酸や酸化アルミニウム等の球状粉体を配合した水中油型化粧料は、マット感を演出する効果が十分では無かった。
【０００４】
【課題を解決する為の手段】かかる実情に鑑み、本発明者らは、
有機粉体を７〜２０質量％と、平均粒径０．００１〜０．１μｍの無水珪酸とを含有する水中油型化粧料がマット感を演出する効果に優れる
（甲４−２）「【０００６】
【発明の実施の形態】以下、本発明を詳細に説明する。本発明に用いられる成分（Ａ）の
有機粉体
ポリオルガノシロキサンエラストマー
【０００７】また、成分（Ａ）の有機粉体は、肌への付着性及びさらっとした使用感の観点から、平均粒径１〜３０μｍが好ましく、３〜２０μｍが特に好ましい。更に、前記例示した有機粉体の中でも、肌及び水との親和性が良好であるため、みずみずしい使用感と肌との密着性に優れるデンプン粉末が特に好ましい。
【０００８】本発明の水中油型化粧料における、成分（Ａ）の含有量は７〜２０質量％（以下、単に「％」と記す）であり、更には、１０〜１６％であると、べたつきを抑え、マット感を演出する効果により優れる。尚、成分（Ａ）の含有量が７％未満であると、べたつきを抑え、マット感を演出する効果が十分に発揮できず、２０％を超えると粉っぽい感触が強くなり、経時的に分離する場合があるため好ましくない。」
第５　判断
１　本件発明１について
（１）甲１発明５を引用発明とする対比・判断
ア　本件発明１と甲１発明５とを対比する。
（ア）
ａ　本件特許に係る出願の願書に添付された明細書（以下「本件明細書」という。）には、以下の記載がある。
「【００２９】
　好ましくは、超吸収性ポリマーは、非膨潤状態において、１００μｍ以下、好ましくは５０μｍ以下、例えば、２μｍ〜１００μｍの数平均粒径を示すか（中央粒径は２５である）、又は、好ましくは約２μｍ〜約４０μｍの範囲の数平均粒径を示す（中央粒径は１２である）ポリアクリル酸ナトリウムデンプンである。１％水溶液の粘度は、好ましくは、ｐＨ  ４で２０〜３０Ｐａｓ、更により好ましくは２２〜２９Ｐａｓの範囲、ｐＨ  ７で２３〜２８Ｐａｓの範囲である。好ましい超吸収性ポリマーとしては、Ｋｏｂｏ  Ｐｒｏｄｕｃｔｓ  Ｉｎｃ．によって供給されるＭａｋｉｍｏｕｓｓｅ  １２及びＭａｋｉｍｏｕｓｅ  ２５が挙げられる。」
ｂ　当該記載を参酌するに、甲１発明５の大東化成工業株式会社製ＭＡＫＩＭＯＵＳＳＥ　２５であるアクリル酸Ｎａグラフトデンプンは、「ポリアクリル酸ナトリウムによってグラフトされているデンプンからなる超吸収性ポリマーであって、非膨潤状態において、１００μｍ以下の数平均粒径を示し、前記超吸収性ポリマー１グラム当たり２０ｇから２０００ｇの水を吸収する水吸収能を有する超吸収性ポリマー」であると認められる。
ｃ　そして、甲１発明５の大東化成工業株式会社製ＭＡＫＩＭＯＵＳＳＥ　２５であるアクリル酸Ｎａグラフトデンプンの配合量、１．０質量％は、本件発明１の超吸収性ポリマーの配合量の範囲である０．０１重量％〜１０重量％に包含される。
ｄ　よって、甲１発明５の、「配合量、１．０質量％」の「大東化成工業株式会社製ＭＡＫＩＭＯＵＳＳＥ　２５」である「アクリル酸Ｎａグラフトデンプン」は、本件発明１の「ａ．ポリアクリル酸ナトリウムによってグラフトされているデンプンからなる、０．０１重量％〜１０重量％の超吸収性ポリマーであって、非膨潤状態において、１００μｍ以下の数平均粒径を示し、前記超吸収性ポリマー１グラム当たり２０ｇから２０００ｇの水を吸収する水吸収能を有する超吸収性ポリマー」に相当する。
（イ）
ａ　甲１発明５において、精製水及び防腐剤を除くその他の成分の合計の配合量は２６質量％であるから、精製水及び防腐剤の合計の配合量は７４質量％である。
　化粧料における一般的な防腐剤の含有量を考慮すると、甲１発明５における精製水の配合量は、本件発明１の水の配合量の範囲である２０％〜９８％に包含されるものと認められる。
ｂ　よって、甲１発明５の、「配合量、残量」である「精製水」は、本件発明１の「２０％〜９８％の水」に相当する。
（ウ）甲１発明５の「水性ムース状アイシャドー」は水性組成物であり、アクリル酸Ｎａグラフトデンプンなどを含むことにより精製水と比較して粘度が増加していることは明らかである。
　よって、甲１発明５の「水性ムース状アイシャドー」は、本件発明１の「増粘水性組成物」に相当する。
（エ）本件明細書の記載を参酌するに、本件発明は、追加の増粘剤（段落【００４０】）、紫外線活性物質（段落【００６０】）、光安定剤（段落【００６４】）、乳化剤（段落【００７４】）、スキンケア活性剤（段落【００７８】）などの追加の成分を含んでもよいものであるから、甲１発明５がアクリル酸Ｎａグラフトデンプン及び精製水以外の成分を含んでいることは、本件発明１との対比において相違点とはならない。
イ　一致点及び相違点
　したがって、本件発明１と甲１発明５とは、
「　ａ．ポリアクリル酸ナトリウムによってグラフトされているデンプンからなる、０．０１重量％〜１０重量％の超吸収性ポリマーであって、非膨潤状態において、１００μｍ以下の数平均粒径を示し、前記超吸収性ポリマー１グラム当たり２０ｇから２０００ｇの水を吸収する水吸収能を有する超吸収性ポリマーと、
　ｃ．２０％〜９８％の水とを含む増粘水性組成物。」
の発明である点において一致し、以下の相違点において相違する。
（相違点）
　本件発明１は、「ｂ．０．１重量％〜２０重量％のシリコーンエラストマー」を含むのに対し、甲１発明５は、「シリコーンエラストマー」を含まない点。
ウ　上記相違点について検討する。
　甲２には、多硫酸化多糖類を含有する化粧料において、シリコーンエラストマーなどの三次元構造を有するシリコーン類を含有させることにより、多硫酸化多糖類の保水作用を更に高めること、甲３には、鎖長が短く、かつ非反応性のジメチルシロキサン単位を有した、特定の構造を有するメチルハイドロジェンポリシロキサンを用いて表面処理した微粒子粉体を配合した化粧料において、シリコーンエラストマーを配合し、製剤の感触を調整すること、甲４には、水中油型化粧料において、ポリオルガノシロキサンエラストマーなどの有機粉体を７〜２０質量％と、平均粒径０．００１〜０．１μｍの無水珪酸とを含有させることにより、マット感を演出する効果に優れたものとすることが記載されている。
　また、（甲１−４）には、併用することができる有機粉体としてシリコーンエラストマー粉体が例示されている。
エ　そこで、本件発明１の奏する作用効果について検討する。
（ア）本件明細書には、本件発明の奏する効果について以下の記載がある。
「【０１１０】
  超吸収性ポリマーとエラストマーとの組み合わせの効果を示す実施例
  本発明の組み合わせの効果としては、皮膚の外観の改善及び製品の安定性の改善が挙げられる。両方の効果は、以下に提供するデータによって証明されるように、個々の成分を鑑みると予想外であり、驚くべきものであり、かつ相乗的である。」
「【０１１４】
  次に、これら４つの処方を上記の通りインビトロ光沢試験に供した。以下に提供するこの試験の結果から分かる通り、超吸収性ポリマー及びエラストマーの両方は、基本処方（実施例２８）に添加したとき、個々に光沢を低減する。重要なことに、これら２つの材料の組み合わせは、いずれか単独で得られるよりも光沢を遥かに低いレベルにする。したがって、この材料の組み合わせは、著しい皮膚外観効果を提供すると予測される。
【０１１５】
【表６】
　　　　　　　　　　　　　　　　　　　　　　　　　　　　　　　　」
「【０１１８】
  以下に示す通り、従来の増粘剤（Ｓｉｍｕｌｇｅｌ  ＩＮＳ−１００）を含むベースエマルション、及び超吸収性ポリマー増粘剤を含むベースエマルションは、両方とも、室温条件下で５ヶ月間エージングした後許容可能な安定性を示し、従来の増粘剤（Ｓｉｍｕｌｇｅｌ  ＩＮＳ−１００）及びエラストマーを両方含有するエマルションは、エージングの際に著しい粘度低下を示した。対照的に、超吸収性ポリマー及びエラストマー系は、同様のエージング条件に供したとき、著しい粘度低下を全く示さなかった。
【０１１９】
【表８】
　　　　　　　　　　　　　　　　　　　　　　　　　　　　　　　　」
　これらの記載から、本件発明１は、ポリアクリル酸ナトリウムによってグラフトされているデンプンからなる超吸収性ポリマーと、シリコーンエラストマーとを併用することにより、光沢低減による皮膚外観の向上、及び製品の保存安定性の双方を達成するという作用効果を奏するものと認められる。
（イ）これに対し、甲４に、ポリオルガノシロキサンエラストマーなどの有機粉体及び無水珪酸の併用がマット感を演出する効果に優れていること、並びに、油性成分とカルボキシビニルポリマー及び／又はアルキル付加カルボキシビニルポリマーとを組み合わせて含有させることにより経時安定性が向上することが記載されているものの、ポリアクリル酸ナトリウムによってグラフトされているデンプンからなる超吸収性ポリマーと、シリコーンエラストマーとを併用した組成物が、光沢低減による皮膚外観の向上、及び製品の保存安定性の双方を達成するという作用効果を奏するものであることの認識は、いずれの甲各号証からも見いだすことはできない。
（ウ）したがって、本件発明１は、甲１発明５及び甲２ないし甲４の記載事項に基づいて、当業者が容易に発明をすることができたものとはいえない。
（２）甲１発明６、甲１発明１及び甲１発明２を引用発明とする対比・判断
　本件発明１と甲１発明６、甲１発明１あるいは甲１発明２とをそれぞれ対比すると、甲１発明６、甲１発明１及び甲１発明２はいずれもシリコーンエラストマーを含まないものであるから、各発明間には、上記相違点と同様の相違点が存在する。
　そして、甲１ないし甲４にシリコーンエラストマーに関する記載があるとしても、上記（１）で示したとおり、本件発明１の奏する作用効果は、いずれの甲各号証からも見いだすことはできないものであるから、本件発明１は、甲１発明６、甲１発明１又は甲１発明２、及び甲２ないし甲４の記載事項に基づいて、当業者が容易に発明をすることができたものとはいえない。
（３）よって、本件発明１についての特許異議申立人の取消理由には理由がない。
２　本件発明２ないし９について
　本件発明２ないし９は、本件発明１を更に減縮したものであるところ、本件発明１についての特許異議申立人の取消理由に理由がないことは、上記「１　本件発明１について」で検討したとおりであるから、本件発明２ないし９についての特許異議申立人の取消理由も同様に理由がない。
第６　むすび
　以上のとおりであるから、特許異議申立ての理由及び証拠によっては、本件請求項１ないし９に係る特許を取り消すことはできない。
　また、他に本件請求項１ないし９に係る特許を取り消すべき理由を発見しない。
　よって、結論のとおり決定する。
【異議決定日】
平成２９年１０月４日（２０１７．１０．４）